(57)【要約】  【課題】長期間に亘りバックアップ電源で稼働させることが可能な防湿庫を提供する。  【解決手段】制御盤５は、電力の供給元が商用電源７か、それともバックアップ電源であるバッテリ７かによって、防湿庫１の動作モードで異ならせ、電力の供給元が商用電源７ならば、乾燥剤４１を加熱して乾燥させる加熱再生処理および庫内１０を除湿する除湿処理を実施する通常モードで動作させ、電力の供給元がバッテリ７ならば、除湿処理を実施し、加熱再生処理は実施しない臨時モードで動作させる。ここで、電力の供給元が商用電源７からバッテリ７に切り替わる際に通常モードにおいて加熱再生処理が実施されていた場合、臨時モードで直ちに除湿処理を行わず、乾燥剤の熱を庫外に排出する冷却処理を実施し、それから除湿処理を行う。【選択図】図１
2016120446.tif 000002
【特許請求の範囲】
【請求項１】
保管品を保管するための庫内の湿度を管理する防湿庫であって、
前記庫内に収容されたハウジングと、
前記ハウジング内に収容された乾燥剤と、
前記乾燥剤を加熱するヒータと、
前記ハウジング内と前記庫内との空気循環、および前記ハウジング内と庫外の空気循環を択一的に行わせるためのシャッタと、
前記シャッタにより前記ハウジング内と前記庫外との空気循環を行わせるとともに、前記ヒータを動作させて前記乾燥剤を加熱し、前記ハウジング内の湿気を前記庫外に排出させて当該乾燥剤を再生する加熱再生処理、および前記シャッタにより前記ハウジング内と前記庫内との空気循環を行わせ、前記乾燥剤により前記庫内の空気を除湿する除湿処理の実施を制御する制御手段と、
電力の供給元を商用電源およびバックアップ電源のいずれか一方に切り替える電源切替手段と、を備え、
前記制御手段は、
前記電源切替手段により電力の供給元が前記商用電源に切り替えられている場合、前記加熱再生処理および前記除湿処理を実施する通常モードで動作し、前記電源切替手段により電力の供給元が前記バックアップ電源に切り替えられている場合、前記除湿処理を実施し、前記加熱再生処理は実施しない臨時モードで動作する
ことを特徴とする防湿庫。
【請求項２】
請求項１に記載の防湿庫であって、
前記制御手段は、
前記電源切替手段により電力の供給元が前記商用電源から前記バックアップ電源に切り替わった際に、前記通常モードにおいて前記加熱再生処理を実施していた場合、前記臨時モードにおいて、前記ヒータを停止して、前記乾燥剤の熱を前記庫外に排出する冷却処理を実施してから、前記除湿処理を実施する
ことを特徴とする防湿庫。
【発明の詳細な説明】
【技術分野】
【０００１】
本発明は、カメラ、電子部品等の精密機器、食品、化学薬品等、高度な湿度管理が要求される保管品を保管するための防湿庫に関し、特に、庫内を自動的に除湿して、保管品を一定の湿度状態で保管することが可能な防湿庫に関する。
【背景技術】
【０００２】
特許文献１には、無駄な電力消費を抑え、庫内環境を安定的に維持可能な防湿庫が開示されている。この防湿庫は、除湿ユニットの庫外シャッタを閉じて庫内シャッタを開き、庫内を除湿する除湿処理の実施中に、加熱再生周期の経過によりつぎの加熱再生処理の実施タイミングが到来しても、そのときの庫内湿度が第一閾値より低いならば、乾燥剤が未だ除湿能力を維持していると判断し、加熱再生処理の実施を開始することなく、除湿処理の実施を続行する。そして、庫内湿度が第一閾値より高い第二閾値になった場合に、乾燥剤が除湿能力を喪失したものと判断して除湿処理の実施を終了し、それから、庫内シャッタを閉じて庫外シャッタを開き、ヒータを動作させて、乾燥剤を加熱して乾燥させる加熱再生処理の実施を開始する。これにより、不必要な加熱再生処理の実施を省略して、加熱再生処理の頻度が増えるのを防止する。
【先行技術文献】
【特許文献】
【０００３】
【特許文献１】特開２０１３−１３４０３４号公報
【発明の概要】
【発明が解決しようとする課題】
【０００４】
カメラ、電子部品等の精密機器、食品、化学薬品等、高度な湿度管理が要求される保管品を保管する防湿庫は、一定の湿度状態で保管品を保管するため、常時稼働することが要求される。このため、バッテリ等のバックアップ電源を用意し、停電等によって商用電源の供給が切断された場合には、自動的に電力の供給元を商用電源からバックアップ電源に切り替えて、防湿庫を継続して稼働させることが好ましい。しかしながら、加熱再生処理は、乾燥剤を加熱して乾燥させるためにヒータを動作させるため、多くの電力を消費する。このため、バックアップ電源で稼働中に加熱再生処理が実施されると、短時間でバックアップ電源の電力を使い切ってしまい、商用電源が復旧するまでの間、防湿庫を継続して稼働させることできない可能性がある。特許文献１に記載の防湿庫は、この点が考慮されていない。
【０００５】
本発明は上記事情に鑑みてなされたものであり、その目的は、より長期間に亘りバックアップ電源で稼働させることが可能な防湿庫を提供することにある。
【課題を解決するための手段】
【０００６】
上記課題を解決するために、本発明の防湿庫では、電力の供給元が商用電源かそれともバックアップ電源かで動作モードで異ならせ、電力の供給元が商用電源ならば、乾燥剤を加熱して乾燥させる加熱再生処理および庫内を除湿する除湿処理を実施する通常モードで動作させ、電力の供給元がバックアップ電源ならば、除湿処理を実施し、加熱再生処理は実施しない臨時モードで動作させる。ここで、電力の供給元が商用電源からバックアップ電源に切り替わる際に通常モードにおいて加熱再生処理が実施されていた場合、臨時モードで直ちに除湿処理を行わず、乾燥剤の熱を庫外に排出する冷却処理を実施し、それから除湿処理を行うようにしてもよい。
【０００７】
例えば、本発明は、保管品を保管するための庫内の湿度を管理する防湿庫であって、
前記庫内に収容されたハウジングと、
前記ハウジング内に収容された乾燥剤と、
前記乾燥剤を加熱するヒータと、
前記ハウジング内と前記庫内との空気循環、および前記ハウジング内と庫外の空気循環を択一的に行わせるためのシャッタと、
前記シャッタにより前記ハウジング内と前記庫外との空気循環を行わせるとともに、前記ヒータを動作させて前記乾燥剤を加熱し、前記ハウジング内の湿気を前記庫外に排出させて当該乾燥剤を再生する加熱再生処理、および前記シャッタにより前記ハウジング内と前記庫内との空気循環を行わせ、前記乾燥剤により前記庫内の空気を除湿する除湿処理の実施を制御する制御手段と、
電力の供給元を商用電源およびバックアップ電源のいずれか一方に切り替える電源切替手段と、を備え、
前記制御手段は、
前記電源切替手段により電力の供給元が前記商用電源に切り替えられている場合、前記加熱再生処理および前記除湿処理を実施する通常モードで動作し、前記電源切替手段により電力の供給元が前記バックアップ電源に切り替えられている場合、前記除湿処理を実施し、前記加熱再生処理は実施しない臨時モードで動作する。
【発明の効果】
【０００８】
本発明によれば、停電等によって商用電源の供給が切断され、電力の供給元がバックアップ電源に切り替わった場合、商用電源が復旧するまで除湿処理を実施し、多くの電力を消費する加熱再生処理は実施しない。このため、より長期間に亘りバックアップ電源で稼働することが可能となる。
【図面の簡単な説明】
【０００９】
【図１】図１は、本発明の一実施の形態に係る防湿庫１の概略構成図である。
【図２】図２は、図１に示す除湿ユニット４の概略断面図である。
【図３】図３は、防湿庫１の動作を説明するためのフロー図である。
【図４】図４は、通常モードの一つである低湿度制御モードを説明するためのフロー図である。
【図５】図５は、通常モードの一つである中湿度制御モードを説明するためのフロー図である。
【図６】図６は、臨時モードを説明するためのフロー図である。
【図７】図７は、防湿庫１の湿度制御結果の一例を説明するための図である。
【発明を実施するための形態】
【００１０】
以下に、本発明の一実施の形態について、図面を参照して説明する。
【００１１】
図１は、本実施の形態に係る防湿庫１の概略構成図である。
【００１２】
本実施の形態に係る防湿庫１は、カメラ、電子部品等の精密機器、食品、化学薬品等、高度な湿度管理が要求される保管品を保管するための保管庫であり、庫内１０を自動的に除湿し、保管品を一定の湿度状態で保管する。
【００１３】
図示するように、防湿庫１は、筺体１５と、防湿庫１の筺体１５の前面（庫内１０にアクセスするための扉１１が設けられている側の面）等に配置された操作パネル２と、庫内１０に配置された湿度センサ３と、除湿ユニット４と、制御盤５と、を備えている。
【００１４】
操作パネル２は、各種指示、設定情報等を操作者から受け付けるためのボタン、キー等の入力装置と、各種設定情報、動作状態、環境情報等を操作者に知らせるための液晶パネル、ＬＥＤ等の表示装置と、を備えている。
【００１５】
湿度センサ３は、庫内１０の湿度（庫内湿度と呼ぶ）を検知し、その検知結果を制御盤５に出力する。
【００１６】
除湿ユニット４は、制御盤５の制御信号に応じて庫内１０を除湿する。
【００１７】
図２は、除湿ユニット４の概略断面図である。
【００１８】
図示するように、除湿ユニット４は、例えば筺体１５の背面板１２に形成された開口１３を塞ぐように配置される。なお、図２では、除湿ユニット４を、庫内１０側から開口１３を塞ぐように庫内１０に配置しているが、庫外１４側から開口１３を塞ぐように庫外１４に配置してもよい。除湿ユニット４は、庫内１０の空気を十分に除湿できるように庫内１０のスペースに応じて定められた量の加熱再生可能な乾燥剤（例えばゼオライト、シリカゲル）４１と、乾燥剤４１を加熱するためのヒータ４２と、ファン４３と、これら４１〜４３を内部に収容するハウジング４０と、を備えている。
【００１９】
ハウジング４０には、ハウジング４０の内部と庫内１０とをつなぐ庫内側通気口として、庫内１０の空気Ｂ１をハウジング４０内に取り込むための庫内吸気口４４１、４４２と、ハウジング４０内の空気Ｂ２を庫内１０へ排出する庫内排気口４４３、４４４と、が形成されている。また、ハウジング４０の内部と庫外１４とをつなぐ庫外側通気口として、庫外１４の空気Ａ１をハウジング４０内に取り込むための庫外吸気口４４５、４４６と、ハウジング４０内の空気Ａ２を庫外１４へ排出するための庫外排気口４４７、４４８と、が形成されている。ファン４３は、これらの通気口４４１〜４４８を介して、空気を、ハウジング４０の内部と庫内１０または庫外１４との間で強制的に循環させるために駆動される。
【００２０】
また、除湿ユニット本体４は、庫内吸気口４４１および庫外吸気口４４５を互いに排他的に開閉するシャッタ４５１と、庫内排気口４４３および庫外排気口４４７を互いに排他的に開閉するシャッタ４５２と、をさらに備えている。
【００２１】
除湿ユニット４は、後述する制御盤５の制御に従い、ハウジング４０の内部を庫内１０にのみ開放した状態（庫内吸気口４４１：開、庫外吸気口４４５：閉、庫内排気口４４３：開、庫外排気口４４７：閉）で、必要に応じてファン４３を回転させる。これにより、庫内１０内の湿った空気Ｂ１が、ハウジング４０内に取り込まれ、乾燥剤４１により除湿された後、乾いた空気Ｂ２として庫内１０に排出されて、庫内１０が除湿される。また、ハウジング４０の内部を庫外１４にのみ開放した状態（庫内吸気口４４１：閉、庫外吸気口４４５：開、庫内排気口４４３：閉、庫外排気口４４７：開）で、ヒータ４２を動作させて乾燥剤４１を加熱しつつ、必要に応じてファン４３を回転させる。これにより、庫外１４の空気Ａ１が、ハウジング４０内に取り込まれ、ヒータ４２により加熱された乾燥剤４１により加湿された後、湿った空気Ａ２として庫外１４に排出されて、乾燥剤４１が乾燥する。
【００２２】
図１に戻って説明を続ける。
【００２３】
制御盤５は、操作パネル２を介して操作者から受け付けた指示に従い、湿度センサ３により検知された庫内湿度に基づき除湿ユニット４を制御して、庫内１０を所望の湿度状態にする。また、制御盤５は、電力の供給元が商用電源６か、それともバックアップ電源であるバッテリ７かによって、動作モードを異ならせ、バッテリ７での動作時における消費電力を抑える。
【００２４】
図示するように、制御盤５は、湿度センサＩＦ部５１と、操作パネルＩＦ部５２と、シャッタ駆動部５３と、ファン駆動部５４と、ヒータ駆動部５５と、電源切替部５６と、主制御部５０と、を備えている。
【００２５】
湿度センサＩＦ部５１は、湿度センサ３と接続するためのインターフェースである。
【００２６】
操作パネルＩＦ部５２は、操作パネル２と接続するためのインターフェースである。
【００２７】
シャッタ駆動部５３は、シャッタ４５１、４５２の動作を制御する。
【００２８】
ファン駆動部５４は、ファン４３の動作を制御する。
【００２９】
ヒータ駆動部５５は、ヒータ４２の動作を制御する。
【００３０】
電源切替部５６は、電力の供給元を商用電源６およびバッテリ７のいずれか一方に切り替えて制御盤５の各部５０〜５５に電力を供給する。具体的には、商用電源６から受電可能な場合は、電力の供給元を商用電源６に切り替えて、防湿庫１の各部に電力を供給し、停電等により商用電源６から受電不可能な場合に、電力の供給元をバッテリ７に切り替えて、防湿庫１の各部に電力を供給する。また、電源切替部５６は、電力の供給元を切り替えた際に、その旨を主制御部５０に通知する。
【００３１】
主制御部５０は、湿度センサＩＦ部５１に入力された湿度センサ３のセンサ値、操作パネルＩＦ部５２に入力された操作パネル２に対するユーザの操作情報、および電源切替部５６から通知された電力の供給元（商用電源６かそれともバッテリ７か）に基づいて、シャッタ駆動部５３、ファン駆動部５４、およびヒータ駆動部５５を制御し、庫内１０を所望の湿度状態に保つ。
【００３２】
つぎに、防湿庫１の動作を説明する。
【００３３】
図３は、防湿庫１の動作を説明するためのフロー図である。このフローは、防湿庫１に電源が投入されることにより開始される。
【００３４】
まず、主制御部５０は、電力切替部５６から電力の供給元に関する情報を取得して、電力の供給元を判断する（Ｓ１）。電力の供給元が商用電源６であるならば（Ｓ１で「商用電源」）、防湿庫１の動作モードを後述の通常モードに移行させる（Ｓ２）。それから、電力切替部５６からの通知に基づいて電力の供給元の切替を監視し（Ｓ３）、商用電源６の停電等によって電力の供給元の切替が発生したならば（Ｓ３でＹＥＳ）、Ｓ１に戻る。
【００３５】
一方、Ｓ１において、電力の供給元がバッテリ７ならば（Ｓ１で「バッテリ」）、防湿庫１の動作モードを後述の臨時モードに移行させる（Ｓ４）。それから、電力切替部５６からの通知に基づいて電力の供給元の切替を監視し（Ｓ５）、商用電源６の停電からの復旧等によって電力の供給元の切替が発生したならば（Ｓ５でＹＥＳ）、Ｓ１に戻る。
【００３６】
つぎに、通常モード（図２のＳ２）について説明する。本実施の形態において、防湿庫１は、通常モードとして、低湿度制御モードおよび中湿度制御モードの２つのモードを有しており、これらのモードのうち、操作パネル２を介して操作者から指定されたモードに従い動作する。
【００３７】
図４は、通常モードの一つである低湿度制御モードを説明するためのフロー図である。
【００３８】
主制御部５０は、乾燥剤４１がその除湿能力を最大限発揮するように、以下の加熱再生処理Ｓ２０を実施する（Ｓ２０１〜Ｓ２０４）。
【００３９】
すなわち、主制御部５０は、シャッタ駆動部５３を制御して、庫内吸気口４４１が閉じて、庫外吸気口４４５が開くようにシャッタ４５１を駆動するとともに、庫内排気口４４３が閉じて、庫外排気口４４７が開くようにシャッタ４５２を駆動する。これにより、除湿ユニット４のハウジング４０を、庫内１０から遮断し、庫外１４に開放した状態で、さらにヒータ駆動部５５を制御して、ヒータ４２を動作させる（Ｓ２０１）。これにより、乾燥剤４１が加熱され、乾燥剤４１に含まれている水分が蒸発する。そして、ハウジング４０内と庫外１４との空気循環Ａ１、Ａ２により（図２参照）、乾燥剤４１から蒸発した水蒸気を含む高湿度の空気がハウジング４０から庫外１４に排出され、乾いた空気が庫外１４からハウジング４０に取り込まれる。これにより、乾燥剤４１の乾燥が進行する。
【００４０】
つぎに、主制御部５０は、加熱再生処理Ｓ２０を開始してから所定の加熱時間（例えば２５〜３０分）を経過したか否かを判断する（Ｓ２０２）。所定の加熱時間を経過したならば（Ｓ２０２でＹＥＳ）、乾燥剤４１がその除湿能力を最大限発揮できる程度に乾燥したと考えられるため、主制御部５０は、ヒータ駆動部５５を制御してヒータ４２を停止させる（Ｓ２０３）。それから、所定の冷却時間（例えば８〜１０分）を経過するのを待って（Ｓ２０４）、乾燥剤４１を冷却し、加熱再生処理Ｓ２０を終了する。
【００４１】
加熱再生処理Ｓ２０が終了したならば（Ｓ２０４でＹＥＳ）、主制御部５０は、以下の除湿処理Ｓ２１を実施する（Ｓ２１１〜Ｓ２１４）。
【００４２】
すなわち、主制御部５０は、シャッタ駆動部５３を制御して、庫内吸気口４４１が開いて、庫外吸気口４４５が閉じるようにシャッタ４５１を駆動するとともに、庫内排気口４４３が開いて、庫外排気口４４７が閉じるようにシャッタ４５２を駆動する。また、ファン駆動部５４を制御して、ファン４３を動作させる（Ｓ２１１）。
【００４３】
これにより、ハウジング４０内と庫内１０との強制的な空気循環Ｂ１、Ｂ２が発生する（図２参照）。そして、空気が、庫内１０からハウジング４０に取り込まれ、含有する水分が乾燥剤４１によって取り除かれた後、庫内１０に排出されることにより、庫内１０の空気が除湿される。
【００４４】
つぎに、主制御部５０は、除湿処理Ｓ２１を開始してから所定の加熱再生周期（例えば６時間）を経過したか否かを判断する（Ｓ２１２）。所定の加熱再生周期を経過したならば（Ｓ２１２でＹＥＳ）、乾燥剤４１の除湿能力が劣化している可能性があるため、主制御部５０は、湿度センサＩＦ部５１を介して湿度センサ３から庫内湿度を取得し、この庫内湿度が所定の第１閾値以上であるか否かを判断する（Ｓ２１３）。ここで、第１閾値は、例えば、操作パネル２を介して操作者から受け付けた庫内湿度の目標値よりｎ（ただし、ｎ＝２〜４）％ＲＨ低い値（第１閾値＝目標値−ｎ％ＲＨ、ただし、目標値−ｎ％ＲＨ＜０ならば、第１閾値＝０％ＲＨ）等に設定される。
【００４５】
庫内湿度が第１閾値以上である場合（Ｓ２１３でＹＥＳ）、乾燥剤４１の除湿能力の劣化が激しく、庫内１０を十分に除湿できていないものと考えられる。そこで、主制御部５０は、除湿処理Ｓ２１を終了して加熱再生処理Ｓ２０（Ｓ２０１）に戻る。
【００４６】
一方、所定の加熱再生周期が経過し、つぎの加熱再生処理の実施タイミングが到来しても庫内湿度が第１閾値未満である場合（Ｓ２１３でＮＯ）、乾燥剤４１の除湿能力の劣化が緩やかであり、庫内１０を十分に除湿できているものと考えられる。そこで、主制御部５０は、湿度センサ３によって検知される庫内湿度が第１閾値より高い第２閾値に上昇するまで除湿処理Ｓ２１を続行する（Ｓ２１４）。ここで、第２閾値は、例えば、庫内湿度の目標値よりｍ（ただし、ｍ＝２〜４）％ＲＨ高い値（第２閾値＝目標値＋ｍ％ＲＨ）等に設定される。
【００４７】
そして、庫内湿度が第２閾値にまで上昇した場合（Ｓ２１４でＹＥＳ）、乾燥剤４１が除湿能力を喪失し、庫内１０を十分に除湿できなくなったものと考えられるため、主制御部５０は、除湿処理Ｓ２１を終了して、加熱再生処理Ｓ２０（Ｓ２０１）に戻る。
【００４８】
図５は、通常モードの一つである中湿度制御モードを説明するためのフロー図である。
【００４９】
主制御部５０は、乾燥剤４１がその除湿能力を最大限発揮するように、加熱再生処理を実施する（Ｓ２２）。この加熱再生処理Ｓ２２は、図４に示した加熱再生処理Ｓ２０（Ｓ２０１〜Ｓ２０４）と同様である。その後、主制御部５０は、加熱再生処理Ｓ２２を終了させ、以下の除湿処理Ｓ２３を実施する（Ｓ２３１、Ｓ２３２）。
【００５０】
すなわち、主制御部５０は、シャッタ駆動部５３を制御して、庫内吸気口４４１が開いて、庫外吸気口４４５が閉じるようにシャッタ４５１を駆動するとともに、庫内排気口４４３が開いて、庫外排気口４４７が閉じるようにシャッタ４５２を駆動する。また、ファン駆動部５４を制御して、ファン４３を動作させる（Ｓ２３１）。これにより、庫内１０が除湿される。
【００５１】
つぎに、主制御部５０は、除湿処理Ｓ２３を開始してから所定の加熱再生周期（例えば６時間）が経過したか否かを判断する（Ｓ２３２）。所定の加熱再生周期が経過していた場合（Ｓ２３２でＹＥＳ）、庫内１０が除湿され過ぎている可能性があるため、主制御部５０は、除湿処理Ｓ２３を終了して、庫内１０の除湿も乾燥剤４１の加熱再生も行わない以下の待機処理Ｓ２４を実施する（Ｓ２４１、Ｓ２４２）。
【００５２】
すなわち、主制御部５０は、ファン駆動部５４を制御してファン４３を停止するとともに、シャッタ駆動部５３を制御して、庫内吸気口４４１が閉じて、庫外吸気口４４５が開くようにシャッタ４５１を駆動するとともに、庫内排気口４４３が閉じて、庫外排気口４４７が開くようにシャッタ４５２を駆動する（Ｓ２４１）。これにより、除湿ユニット４のハウジング４０を、庫内１０から遮断する。主制御部５０は、湿度センサ３によって検知される庫内湿度を監視し、庫内湿度が上述の第１閾値より高くかつ第２閾値より低い第３閾値（例えば庫内湿度の目標値）以上であるか否かを判断する（Ｓ２４２）。庫内湿度が第３閾値以上に上昇した場合（Ｓ２４２でＹＥＳ）、庫内１０の除湿が不十分と考えられるため、主制御部５０は、待機処理Ｓ２４を終了する。一方、庫内湿度が第３閾値未満ならば（Ｓ２４２でＮＯ）、主制御部５０は、庫内湿度が第３閾値以上に上昇するまで待機処理Ｓ２４を続行し、それから、待機処理Ｓ２４を終了する。
【００５３】
主制御部５０は、待機処理Ｓ２４を終了すると、以下の除湿処理Ｓ２５を実施する（Ｓ２５１〜Ｓ２５３）。
【００５４】
すなわち、主制御部５０は、シャッタ駆動部５３を制御して、庫内吸気口４４１が開いて、庫外吸気口４４５が閉じるようにシャッタ４５１を駆動するとともに、庫内排気口４４３が開いて、庫外排気口４４７が閉じるようにシャッタ４５２を駆動する。また、ファン駆動部５４を制御して、ファン４３を動作させる（Ｓ２５１）。これにより、庫内１０が除湿される。また、主制御部５０は、湿度センサＩＦ部５１を介して湿度センサ３から庫内湿度を取得し、この庫内湿度が上述の第１閾値以上であるか否かを判断する（Ｓ２５２）。
【００５５】
庫内湿度が第１閾値未満である場合（Ｓ２５２でＮＯ）、庫内１０が除湿され過ぎていると考えられる。このため、主制御部５０は、除湿処理Ｓ２５を終了して、待機処理Ｓ２４（Ｓ２４１）に戻る。一方、庫内湿度が第１閾値以上である場合（Ｓ２５２でＹＥＳ）、除湿処理Ｓ２５を開始してから所定時間（例えば１時間）以内ならば（Ｓ２５３でＮＯ）、除湿処理Ｓ２５が開始されたばかりであり、庫内１０の除湿が十分に進んでいないと考えられる。このような場合、主制御部５０は、Ｓ２５２に戻り、庫内湿度が第１閾値未満となるまで、または、除湿処理Ｓ２５の開始から所定時間を経過するまで、除湿処理Ｓ２５を続行する。また、除湿処理Ｓ２５を開始してから所定時間を経過した場合（Ｓ２５３でＹＥＳ）、乾燥剤４１の除湿能力の劣化が進み、庫内１０が十分に除湿されていないものと考えられる。そこで、主制御部５０は、除湿処理Ｓ２５を終了して、加熱再生処理Ｓ２２に戻る。
【００５６】
図６は、臨時モードを説明するためのフロー図である。
【００５７】
主制御部５０は、電源切替部４００によって電力の供給元が商用電源６からバッテリ７へ切り替えられる直前に実施されていた通常モードを解析し（Ｓ４００）、この通常モードが低湿度制御モード（図４参照）ならば（Ｓ４００で「低湿度制御モード」）、Ｓ４１０に進み、中湿度制御モード（図５参照）ならば（Ｓ４００で「中湿度制御モード」）、Ｓ４２０に進む。
【００５８】
Ｓ４１０において、主制御部５０は、低湿度制御モードの加熱再生処理（図４のＳ２０）を実施中に、電源切替部４００によって電力の供給元が商用電源６からバッテリ７へ切り替えられたか否かを判断する。低湿度制御モードの加熱再生処理中に電力の供給元が商用電源６からバッテリ７へ切り替えられた場合（Ｓ４１０でＹＥＳ）、主制御部５０は、ヒータ４２を動作中ならば（Ｓ４１１でＹＥＳ）、ヒータ駆動部５５を制御してヒータ４２を停止させる（Ｓ４１２）。それから、所定の冷却時間（例えば８〜１０分）が経過するのを待って（Ｓ４１３）、乾燥剤４１を冷却する。ヒータ４２が動作中でない場合も（Ｓ４１１でＮＯ）、ヒータ４２の停止直後で乾燥剤４１が十分に冷えていない可能性があるため、所定の冷却時間を経過するのを待って（Ｓ４１３）、乾燥剤４１を冷却する。
【００５９】
それから、主制御部５０は、シャッタ駆動部５３を制御して、庫内吸気口４４１が開いて、庫外吸気口４４５が閉じるようにシャッタ４５１を駆動するとともに、庫内排気口４４３が開いて、庫外排気口４４７が閉じるようにシャッタ４５２を駆動する。また、ファン駆動部５４を制御して、ファン４３を動作させる（Ｓ４１４）。これにより、除湿処理が開始され、庫内１０が除湿される。
【００６０】
主制御部５０は、臨時モードの間、つまり、電源切替部４００によって電力の供給元がバッテリ７から商用電源６へ切り替えられるまで、除湿ユニット４の現在の状態（庫内吸気口４４１：開、庫外吸気口４４５：閉、庫内排気口４４３：開、庫外排気口４４７：閉、ファン４３：オン）を維持して除湿処理を続ける。
【００６１】
一方、Ｓ４１０において、低湿度制御モードの加熱再生処理以外の処理、つまり除湿処理（図４のＳ２１）を実施中に電力の供給元が商用電源６からバッテリ７へ切り替えられた場合（Ｓ４１０でＮＯ）、除湿ユニット４は、庫内吸気口４４１および庫内排気口４４３が開いて、庫外吸気口４４５および庫外排気口４４７が閉じ、かつ、ファン４３が動作した状態にある（Ｓ４１４）。これにより、庫内１０が除湿されている。主制御部５０は、臨時モードの間、つまり、電源切替部４００によって電力の供給元がバッテリ７から商用電源６へ切り替えられるまで、除湿ユニット４の現在の状態（庫内吸気口４４１：開、庫外吸気口４４５：閉、庫内排気口４４３：開、庫外排気口４４７：閉、ファン４３：オン）を維持して除湿処理を続ける。
【００６２】
また、Ｓ４２０において、主制御部５０は、中湿度制御モードの加熱再生処理（図５のＳ２２）を実施中に、電源切替部４００によって電力の供給元が商用電源６からバッテリ７へ切り替えられたか否かを判断する。中湿度制御モードの加熱再生処理中に電力の供給元が商用電源６からバッテリ７へ切り替えられた場合（Ｓ４２０でＹＥＳ）、主制御部５０は、ヒータ４２を動作中ならば（Ｓ４２１でＹＥＳ）、ヒータ駆動部５５を制御してヒータ４２を停止させる（Ｓ４２２）。それから、所定の冷却時間（例えば８〜１０分）が経過するのを待って（Ｓ４２３）、乾燥剤４１を冷却する。ヒータ４２が動作中でない場合も（Ｓ４２１でＮＯ）、ヒータ４２の停止直後で乾燥剤４１が十分に冷えていない可能性があるため、所定の冷却時間を経過するのを待って（Ｓ４２３）、乾燥剤４１を冷却する。
【００６３】
それから、主制御部５０は、シャッタ駆動部５３を制御して、庫内吸気口４４１が開いて、庫外吸気口４４５が閉じるようにシャッタ４５１を駆動するとともに、庫内排気口４４３が開いて、庫外排気口４４７が閉じるようにシャッタ４５２を駆動する。また、ファン駆動部５４を制御して、ファン４３を動作させる（Ｓ４２４）。これにより、除湿処理が開始され、庫内１０が除湿される。
【００６４】
つぎに、主制御部５０は、湿度センサＩＦ部５１を介して湿度センサ３から庫内湿度を取得し、この庫内湿度が上述の第１閾値以上であるか否かを判断する（Ｓ４２５）。庫内湿度が第１閾値以上である場合（Ｓ４２５でＹＥＳ）、庫内１０の除湿が十分に進んでいない可能性があるため、主制御部５０は、除湿ユニット４の現在の状態（庫内吸気口４４１：開、庫外吸気口４４５：閉、庫内排気口４４３：開、庫外排気口４４７：閉、ファン４３：オン）を維持して除湿処理を続ける。一方、庫内湿度が第１閾値未満である場合（Ｓ４２５でＮＯ）、庫内１０が除湿され過ぎている可能性があるため、主制御部５０は、シャッタ駆動部５３を制御して、庫内吸気口４４１が閉じて、庫外吸気口４４５が開くようにシャッタ４５１を駆動するとともに、庫内排気口４４３が閉じて、庫外排気口４４７が開くようにシャッタ４５２を駆動する。また、ファン駆動部５４を制御してファン４３を停止する（Ｓ４２６）。これにより、除湿処理が終了して待機処理が開始され、除湿ユニット４のハウジング４０が庫内１０から遮断される。
【００６５】
それから、主制御部５０は、湿度センサ３によって検知される庫内湿度を監視し、庫内湿度が上述の第３閾値以上であるか否かを判断する（Ｓ４２７）。庫内湿度が第３閾値以上に上昇した場合（Ｓ４２７でＹＥＳ）、庫内１０の除湿が十分でない可能性があるため、主制御部５０は、Ｓ４２４に戻って除湿処理を開始する。一方、庫内湿度が第３閾値未満ならば（Ｓ４２７でＮＯ）、未だ庫内１０が除湿され過ぎている可能性があるため、主制御部５０は、除湿ユニット４の現在の状態（庫内吸気口４４１：閉、庫外吸気口４４５：開、庫内排気口４４３：閉、庫外排気口４４７：開、ファン４３：オフ）を維持して待機処理を続ける。
【００６６】
一方、Ｓ４２０において、中湿度制御モードの加熱再生処理以外の処理、つまり除湿処理（図５のＳ２３、Ｓ２５）あるいは待機処理（図５のＳ２４）を実施中に電力の供給元が商用電源６からバッテリ７へ切り替えられた場合（Ｓ４２０でＮＯ）、主制御部５０は、湿度センサ３によって検知される庫内湿度を監視し、庫内湿度が第３閾値以上であるか否かを判断する（Ｓ４２８）。庫内湿度が第３閾値以上である場合（Ｓ４２８でＹＥＳ）、庫内１０の除湿が十分でないものと考えられるため、主制御部５０は、Ｓ４２４に進んで除湿処理を開始する。一方、庫内湿度が第３閾値未満ならば（Ｓ４２８でＮＯ）、庫内１０が除湿され過ぎているものと考えられるため、主制御部５０は、Ｓ４２６に進んで待機所処理を開始する。
【００６７】
以上、本発明の実施の形態を説明した。
【００６８】
本実施の形態に係る防湿庫１では、停電等によって電力の供給元が商用電源６からバッテリ７に切り替わった場合、防湿庫１の動作モードを通常モードから臨時モードに移行させ、商用電源７が復旧するまで除湿処理（図６のＳ４１４、Ｓ４２４）あるいは待機処理（図６のＳ４２６）を実施し、多くの電力を消費する加熱再生処理は実施しない。このため、より長期間に亘りバッテリ７で稼働することが可能となる。
【００６９】
また、本実施の形態に係る防湿庫１では、停電等によって電力の供給元が商用電源６からバッテリ７に切り替わった際に実施していた通常モードにおいて加熱再生処理（図４のＳ２０あるいは図５のＳ２２）を実施していた場合、臨時モードにおいて、庫内吸気口４４１および庫内排気口４４３が閉じ、庫外吸気口４４５および庫外排気口４４７が開いた状態で、ヒータ４２を所定の冷却時間停止し、乾燥剤４１の熱を庫外１４に排出して、乾燥剤４１を冷却してから、除湿処理を実施する。このため、乾燥剤４１の熱および水分が庫内１０に流入するのを防止することができ、これにより、庫内１０の環境を安定的に維持することが可能となる。
【００７０】
また、本実施の形態に係る防湿庫１では、通常モードの低湿度制御モードにおいて、除湿処理Ｓ２１の実施中に、加熱再生周期の経過により、つぎの加熱再生処理Ｓ２０の実施タイミングが到来しても、庫内湿度が第１閾値より低ければ、乾燥剤４１が未だ除湿能力を維持していると考えられるため、加熱再生処理Ｓ２０を実施することなく除湿処理Ｓ２１を続行する。そして、庫内湿度が第１閾値より高い第２閾値になった場合、乾燥剤４１が除湿能力を喪失したと考えられるので、除湿処理Ｓ２１を終了して加熱再生処理Ｓ２０を開始する。このため、乾燥剤４１が除湿能力を維持している段階における不必要な加熱再生処理Ｓ２０の実施が省略され、加熱再生処理Ｓ２０の実施頻度が増えるのを防止することができる。これにより、無駄な電力消費を抑えることが可能となる。
【００７１】
また、本実施の形態に係る防湿庫１では、中湿度制御モードにおいて、除湿処理Ｓ２３の実施中に、加熱再生周期の経過によりつぎの加熱再生処理Ｓ２２の実施タイミングが到来したにも関わらず、加熱再生処理Ｓ２２を実施せずに、除湿処理Ｓ２５を実施（続行）した場合、庫内湿度が第１閾値より高くかつ第２閾値より低い第３閾値未満ならば、庫内１０が除湿され過ぎていると考えられるため、庫内湿度が第３閾値以上となるまで、除湿処理Ｓ２５を中断して、待機処理Ｓ２２を実施する。このため、ファン４３等の運転も停止されるので、無駄な電力消費をさらに抑制することができる。
【００７２】
図７は、防湿庫１の湿度制御結果の一例を説明するための図である。
【００７３】
ここで、動作開始から２０時間経過までは、商用電源６を投入して、通常モード「低湿度制御モード」（図４参照）で動作させ、２０時間経過後は、商用電源６を切断することにより強制的に臨時モード（図６）で動作させた場合の結果を示している。なお、図において、左側縦軸、右側縦軸、横軸は、それぞれ、相対湿度（％ＲＨ）、温度（℃）、経過時間（ｈｒ）を表している。また、符号８０は庫内１０の温度、符号８１は庫内１０の湿度、そして、符号８２は庫外１４の湿度を示している。通常モード「低湿度制御モード」から臨時モードに移行した場合、ファン４３のみが動作する除湿処理（図６のＳ４１４）が実施され、加熱再生処理は実施されないため、防湿庫１の消費電力を低く抑えることができ、バッテリ７の消耗を抑制することができる。このため、図示するように、通常モードから臨時モードに切り替わった２０時間経過においても、長期間に亘り庫内１０を低湿度に保つことができた。
【００７４】
なお、本発明は上記の実施の形態に限定されるものではなく、その要旨の範囲内で数々の変形が可能である。
【００７５】
例えば、上記の実施の形態では、除湿処理においてのみファン４３を動作させているが、その他の処理においてもファン４３を動作させてよい。例えば、乾燥剤４１の冷却処理（図３のＳ２０４、図６のＳ４１３、Ｓ４２３）中にファン４３を動作させることにより、乾燥剤４１の冷却をより短時間で行うことが可能となり、より速やかに除湿処理に移行することが可能となる。
【００７６】
また、上記の実施の形態では、バックアップ電源としてバッテリを用いているが、本発明はこれに限定されない。自家発電機等のその他の電源をバックアップ電源として用いてもよい。
【００７７】
また、上記の実施の形態では、除湿ユニット４を庫内１０に一つ配置した場合を例に取り説明したが、本発明はこれに限定されない。庫内１０のサイズ等に応じて、必要な数の除湿ユニット４を庫内１０に配置すればよい。
【００７８】
また、上記の実施の形態において、図１に示す制御盤５の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、およびＨＤＤ等の補助記憶装置を備えた汎用コンピュータにおいて、ＣＰＵが所定のプログラムを補助記憶装置からメモリ上にロードして実行することで実現されるものでもよい。
【符号の説明】
【００７９】
１：防湿庫、  ２：操作パネル、  ３：湿度センサ、  ４：除湿ユニット、  ５：制御盤、  ６：商用電源、  ７：バッテリ、  １０：庫内、  １１：扉、  １２：背面板、  １３：開口、  １４：庫外、  １５：筺体、  ４０：ハウジング、  ４１：乾燥剤、  ４２：ヒータ、  ４３：ファン、５０：主制御部、  ５１：湿度センサＩＦ部、  ５２：操作パネルＩＦ部、  ５３：シャッタ駆動部、  ５４：ファン駆動部、  ５５：ヒータ駆動部、  ５６：電源切替部、  ４４１、  ４４２：庫内吸気口、  ４４３、４４４：庫内排気口、  ４４５、４４６：庫外吸気口、  ４４７、４４８：庫外排気口、  ４５１、４５２：シャッタ
【図１】
2016120446.tif 000003
【図２】
2016120446.tif 000004
【図３】
2016120446.tif 000005
【図４】
2016120446.tif 000006
【図５】
2016120446.tif 000007
【図６】
2016120446.tif 000008
【図７】
2016120446.tif 000009